(57)【要約】【課題】施錠装置の取付性を向上させることが可能となる、引戸を提供すること。【解決手段】引戸１は、建物の開口部に設けられた枠体１０と、枠体１０内を移動して開口部の開閉を行う開閉体２０と、開閉体２０を施錠するための施錠装置５０とを備えた引戸であって、施錠装置５０は、枠体１０のうち戸先側に位置する戸先縦枠１１に設けられた錠本体６０と、開閉体２０に設けられた錠受け部７０であって錠本体６０の係合部６６に係合される被係合部７２を有する錠受け部７０と、を備え、引戸１が施錠装置５０によって施錠されている状態において枠体１０が層間変形した際に、開閉体２０と被係合部７２との相互間距離Ｄを変位させるための距離変位部８０を備えた。【選択図】図２
2019116723.tif 000002
【特許請求の範囲】
【請求項１】
建物の開口部に設けられた枠体と、前記枠体内を移動して前記開口部の開閉を行う開閉体と、前記開閉体を施錠するための施錠装置とを備えた引戸であって、
前記施錠装置は、前記枠体のうち戸先側に位置する戸先側枠材に設けられた錠本体と、前記開閉体に設けられた錠受け部であって、前記錠本体を構成する係合部に係合される被係合部を有する錠受け部と、を備え、
前記引戸が前記施錠装置によって施錠されている状態において前記枠体が層間変形した際に、前記開閉体と前記被係合部との相互間の距離を変位させるための距離変位手段を備えた、
引戸。
【請求項２】
前記被係合部を、前記戸先側枠材の長手方向の中央部又はその近傍に対応する位置に配置した、
請求項１に記載の引戸。
【請求項３】
前記距離変位手段による前記相互間の距離の変位量を、前記戸先側枠材に対する前記開閉体の飲み込み量よりも小さくした、
請求項１又は２に記載の引戸。
【請求項４】
前記戸先側枠材に対する前記開閉体の飲み込み量を、前記枠体の層間変形時における前記戸先側枠材と前記開閉体との最大離間量よりも大きくした、
請求項１から３のいずれか一項に記載の引戸。
【発明の詳細な説明】
【技術分野】
【０００１】
本発明は、引戸に関する。
【背景技術】
【０００２】
従来、建物の開口部に設けられている引戸を対象として、地震後の使用性を維持するための技術の一つとして、開口部に設けられた枠体を構成する戸先側の枠材に対してばねを介して錠受け部（いわゆるストライク）を取り付けると共に、引戸を構成する引戸部材（具体的には、引戸部材の戸先側の部分）に対して錠受け部に係合可能な鎌錠を取り付けた技術が提案されている（例えば、特許文献１参照）。このような技術により、鎌錠が錠受け部に係合されている状態において地震による枠体の層間変形に伴って引戸部材が移動した際に、錠受け部がばねの付勢力に抗して戸尻側へ移動することができ、鎌錠と錠受け部と係合部分に加わる力が過大になることで解錠できなくなることを回避できる。
【先行技術文献】
【特許文献】
【０００３】
【特許文献１】特開２０１６−１７３５９号公報
【発明の概要】
【発明が解決しようとする課題】
【０００４】
しかしながら、上記従来の技術においては、上述したように、引戸部材の戸先側の部分に鎌錠を取り付けるので、例えば、鎌錠のサムターンを引戸部材の戸先側の部分に取り付けられる把持部とは重ならない位置に配置しなければならないため、鎌錠の取付位置が把持部によって制約を受けることから、鎌錠の如き施錠装置の取付性を向上させる観点からは改善の余地があった。
【０００５】
本発明は、上記従来技術における課題を解決するためのものであって、施錠装置の取付性を向上させることが可能となる、引戸を提供することを目的とする。
【課題を解決するための手段】
【０００６】
上述した課題を解決し、目的を達成するために、請求項１に記載の引戸は、建物の開口部に設けられた枠体と、前記枠体内を移動して前記開口部の開閉を行う開閉体と、前記開閉体を施錠するための施錠装置とを備えた引戸であって、前記施錠装置は、前記枠体のうち戸先側に位置する戸先側枠材に設けられた錠本体と、前記開閉体に設けられた錠受け部であって、前記錠本体を構成する係合部に係合される被係合部を有する錠受け部と、を備え、前記引戸が前記施錠装置によって施錠されている状態において前記枠体が層間変形した際に、前記開閉体と前記被係合部との相互間の距離を変位させるための距離変位手段を備えた。
【０００７】
請求項２に記載の引戸は、請求項１に記載の引戸において、前記被係合部を、前記戸先側枠材の長手方向の中央部又はその近傍に対応する位置に配置した。
【０００８】
請求項３に記載の引戸は、請求項１又は２一項に記載の引戸において、前記距離変位手段による前記相互間の距離の変位量を、前記戸先側枠材に対する前記開閉体の飲み込み量よりも小さくした。
【０００９】
請求項４に記載の引戸は、請求項１から３のいずれか一項に記載の引戸において、前記戸先側枠材に対する前記開閉体の飲み込み量を、前記枠体の層間変形時における前記戸先側枠材と前記開閉体との最大離間量よりも大きくした。
【発明の効果】
【００１０】
請求項１に記載の引戸によれば、施錠装置は、枠体のうち戸先側に位置する戸先側枠材に設けられた錠本体と、開閉体に設けられた錠受け部であって、錠本体を構成する係合部に係合される被係合部を有する錠受け部と、を備えたので、錠受け部の見込方向の長さが開閉体の厚さよりも短く、且つ錠受け部が開閉体から見込方向に向けて突出するように配置されるものではないため、例えば錠受け部と開閉体の把持部とを重ねて配置することができる。よって、錠受け部の取付位置が把持部によって制約をほとんど受けないことから、従来技術（引戸部材に鎌錠を設け、戸先側の枠材に錠受け部を設ける技術）に比べて施錠装置の取付の自由度を高めることができ、施錠装置の取付性を向上することが可能となる。また、引戸が施錠装置によって施錠されている状態において枠体が層間変形した際に、開閉体と被係合部との相互間の距離を変位させるための距離変位手段を備えたので、上記枠体の層間変形が生じた際に、上記相互間の距離を変位させることができる。よって、距離変位手段を設けない場合に比べて、係合部と被係合部との係合部分に過大な力が加わることを回避でき、従来技術と同様に、施錠装置の機能を維持することが可能となる。
【００１１】
請求項２に記載の引戸によれば、被係合部を、戸先側枠材の長手方向の中央部又はその近傍に対応する位置に配置したので、被係合部を戸先側枠材の長手方向の中央部又はその近傍に対応しない位置に配置した場合に比べて、上記枠体の層間変形時における開閉体と被係合部との相互間の距離を小さくすることができる。よって、上記相互間の距離を確保するためのスペースをコンパクトにでき、施錠装置の取付性を一層向上できる。
【００１２】
請求項３に記載の引戸によれば、距離変位手段による相互間の距離の変位量を、戸先側枠材に対する開閉体の飲み込み量よりも小さくしたので、上記枠体の層間変形が生じた場合、又は上記施錠された状態で開閉体が人によって開放操作された場合に、係合部又は被係合部が外部に露出することを回避でき、防犯性を向上させることが可能となる。
【００１３】
請求項４に記載の引戸によれば、戸先側枠材に対する開閉体の飲み込み量を、枠体の層間変形時における戸先側枠材と開閉体との最大離間量よりも大きくしたので、上記最大離間量に達した場合に開閉体が戸先側枠材に飲み込まれた状態を維持でき、防犯性を一層向上させることが可能となる。
【図面の簡単な説明】
【００１４】
【図１】本発明の実施の形態に係る引き戸を示す図であり、（ａ）は正面図、（ｂ）は背面図である。
【図２】図１（ａ）の施錠装置の周辺領域の拡大図であり（一部図示省略）、（ａ）は正面図、（ｂ）は（ａ）のＡ−Ａ矢視断面図である。
【図３】層間変形時の引き戸を示す正面図であり、（ａ）は枠体の上側部分が戸尻側に向けて変形するように枠体が層間変形した状態を示す図、（ｂ）は枠体の上側部分が戸先側に向けて変形するように枠体が層間変形した状態を示す図である。
【図４】図３（ａ）及び図３（ｂ）の施錠装置の周辺領域の拡大図であり（一部図示省略）、（ａ）は正面図、（ｂ）は（ａ）のＢ−Ｂ矢視断面図である。
【図５】層間変形時における戸先縦枠に対する開閉体の飲み込み状態を示す図であり、（ａ）は図３（ａ）のＣ−Ｃ矢視断面図、（ｂ）は図３（ａ）のＤ−Ｄ矢視断面図である。
【図６】距離変位部による相互間距離の変位量が最も大きくなった状態を示す図であって、図４（ｂ）に対応する領域を示す図である。
【図７】引戸の変形例を示す正面図である。
【発明を実施するための形態】
【００１５】
以下に添付図面を参照して、この発明に係る引戸の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１６】
〔Ｉ〕実施の形態の基本的概念
まず、実施の形態の基本的概念について説明する。実施の形態は、概略的に、建物の開口部に設けられた枠体と、枠体内を移動して開口部の開閉を行う開閉体と、開閉体を施錠するための施錠装置とを備えた引戸に関するものである。
【００１７】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、床、天井等）において出入口や窓を設置するために形成された開口部である。また、「引戸」とは、開口部に設置される構造体であって、開口部の出入りを抑制又は制限するための構造体を意味し、例えば、片開式の引戸等を含む概念である。この引戸の開閉方向については、例えば上下方向、左右方向、前後方向等が該当する。また「開閉体の状態」とは、例えば、開閉体によって開口部を全閉した「全閉状態」と、開閉体によって開口部を全開した「全開状態」と、開口部の一部を開いて当該開口部の他の一部を閉じている「半開状態」とを含む概念である。なお、実施の形態では、全閉状態における開閉体の位置を「全閉位置」と称し、全開状態における開閉体の位置を「全開位置」と称する。以下、実施の形態では、引戸が、ビルの如き建物の通路に面する位置に配置された片開式の引戸である場合について説明する。
【００１８】
〔ＩＩ〕実施の形態の具体的内容
次に、実施の形態の具体的内容について説明する。
【００１９】
（構成）
最初に、実施の形態に係る引戸の構成について説明する。以下の説明では、図１のＸ方向を引戸の左右方向（−Ｘ方向を引戸の左方向、＋Ｘ方向を引戸の右方向）、図２のＹ方向を引戸の前後方向（＋Ｙ方向を引戸の前方向（部屋の室内側の方向）、−Ｙ方向を引戸の後方向（部屋の室外側の方向））、図１のＺ方向を引戸の上下方向（＋Ｚ方向を引戸の上方向、−Ｚ方向を引戸の下方向）と称する。図１に示すように、この引戸１は、概略的に、枠体１０、開閉体２０、及び施錠装置５０を備えており、枠体１０の内部において開閉体２０を左右方向（水平方向）にスライド移動させることで、開閉体２０によって部屋（建物）の壁の開口部３を開閉することができる。ただし、引戸１に関する特記しない構成については、従来と同様であるものとして説明を省略する。なお、引戸１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００２０】
（構成−引戸−枠体）
まず、枠体１０の構成について説明する。この枠体１０は、開口部３の周縁に設けられるものであり、図１に示すように、戸先縦枠１１、戸尻縦枠１２、上横枠１３、室内側方立１４、室外側方立１５、室内側戸袋ボード１６、及び室外側戸袋ボード１７を備えている。
【００２１】
（構成−引戸−枠体−戸先縦枠）
戸先縦枠１１は、枠体１０を構成する枠材のうち、戸先側に設けられる戸先側枠材である。この戸先縦枠１１は、例えば公知の引戸用の枠材（一例として、鋼製の長尺な枠材）を用いて構成されており、図１に示すように、戸先縦枠１１の長手方向が上下方向に沿って配置され、建物の躯体２（例えば壁又は柱等）に対して固定具等によって固定されている。
【００２２】
また、図２（ｂ）に示すように、戸先縦枠１１の開閉体２０側の側部に、縦枠側凹部１８が設けられている。この縦枠側凹部１８は、全閉状態において開閉体２０の一部（具体的には、開閉体２０の戸先側端部及びその近傍部分）を収容する（いわゆる飲み込む）ための凹部である。この縦枠側凹部１８は、戸先縦枠１１を曲げ成形することにより形成されており、図２（ｂ）に示すように、戸先縦枠１１の開閉体２０側の側部のうち開閉体２０に対向する部分に設けられている。
【００２３】
（構成−引戸−枠体−戸尻縦枠）
図１に戻り、戸尻縦枠１２は、枠体１０を構成する枠材のうち、戸尻側に設けられる枠材である。この戸尻縦枠１２は、例えば公知の引戸用の枠材（一例として、鋼製の長尺な枠材）を用いて構成されており、図１に示すように、戸尻縦枠１２の長手方向が上下方向に沿って配置され、建物の躯体２（例えば壁又は柱等）に対して固定具等によって固定されている。
【００２４】
（構成−引戸−枠体−上横枠）
上横枠１３は、枠体１０を構成する枠材のうち、上側に設けられる枠材である。この上横枠１３は、例えば公知の引戸用の枠材（一例として、鋼製の長尺な枠材）を用いて構成されており、図１に示すように、戸先縦枠１１と戸尻縦枠１２との相互間において上横枠１３の長手方向が左右方向に沿って配置され、建物の躯体２（例えば壁又は天井）に対して固定具等によって固定されている。
【００２５】
また、この上横枠１３には、図示しないレール部が設けられている。レール部は、開閉体２０の上面に取付けられた後述する戸車を左右方向に沿って走行可能とするための誘導路である。このレール部は、例えば公知の引戸用のレール（一例として、鋼製のレール）等を用いて構成され、当該レール部の左右方向の長さが後述する戸車の走行範囲の長さと略同一になるように形成されており、戸尻側から戸先側に至るに連れて下方に至るように上横枠１３に対して傾斜状に設置されている。このような傾斜状のレール部に対して後述する戸車を介して開閉体２０が吊り持ち状に支持されることにより、開閉体２０が自重によって戸先側に向けて常時付勢されることから、例えば、開閉体２０の状態が半開状態において開閉体２０にユーザが手を触れていない場合には、開閉体２０が戸先側に自然に移動して全閉状態となる。
【００２６】
（構成−引戸−枠体−室内側方立、室外側方立）
室内側方立１４は、枠体１０を構成する枠材のうち、戸先縦枠１１と戸尻縦枠１２との間に設けられる枠材である。この室内側方立１４は、例えば公知の引戸用の枠材（一例として、鋼製の長尺な枠材）を用いて構成され、図１（ａ）に示すように、全閉状態における開閉体２０の戸尻側端部よりも部屋の室内側に位置するように配置され、且つ上横枠１３から床面Ｆとの相互間において当該室内側方立１４の長手方向が上下方向に沿うように配置されており、上横枠１３及び床面Ｆの各々に対して固定具等によって固定されている。また、室外側方立１５は、枠体１０を構成する枠材のうち、戸先縦枠１１と戸尻縦枠１２との間に設けられる枠材である。この室外側方立１５は、例えば公知の引戸用の枠材（一例として、鋼製の長尺な枠材）を用いて構成され、図１（ｂ）に示すように、全閉状態における開閉体２０の戸尻側端部よりも部屋の室外側に位置するように配置し、且つ上横枠１３から床面Ｆとの相互間において当該室外側方立１５の長手方向が上下方向に沿うように配置されており、上横枠１３及び床面Ｆの各々に対して固定具等によって固定されている。
【００２７】
（構成−引戸−枠体−室内側戸袋ボード、室外側戸袋ボード）
室内側戸袋ボード１６は、後述する戸袋１９を構成するボードのうち、部屋の室内側に設けられるボードである。この室内側戸袋ボード１６は、例えば公知の戸袋用のボード（一例として、矩形状の石膏ボード等）を用いて構成され、図１（ａ）に示すように、戸尻縦枠１２、上横枠１３、及び室内側方立１４によって囲繞される領域に配置され、戸尻縦枠１２、上横枠１３、及び室内側方立１４に対して図示しない下地材を介して固定具等によって固定されている。また、室外側戸袋ボード１７は、後述する戸袋１９を構成するボードのうち、部屋の室外側に設けられるボードである。この室外側戸袋ボード１７は、例えば公知の戸袋用のボード（一例として、矩形状の石膏ボード等）を用いて構成され、図１（ｂ）に示すように、戸尻縦枠１２、上横枠１３、及び室外側方立１５によって囲繞される領域に配置され、戸尻縦枠１２、上横枠１３、及び室外側方立１５に対して図示しない下地材を介して固定具等によって固定されている。
【００２８】
このように構成された枠体１０の各部のうち、戸尻縦枠１２、上横枠１３、床面Ｆ、室内側方立１４、室外側方立１５、室内側戸袋ボード１６、及び室外側戸袋ボード１７によって囲繞される空間部として図１の戸袋１９が構成されている。この戸袋１９により、戸袋１９の内部に開閉体２０を出し入れ自在に収容することができるので、例えば戸袋１９の内部に開閉体２０のうち後述の把持部３５よりも戸尻側の部分を略完全に収容した状態では、開閉体２０を全開位置に位置させた状態（すなわち、全開状態）にすることができる。
【００２９】
（構成−開閉体）
次に、開閉体２０の構成について説明する。開閉体２０は、開口部３を開閉するためのものであり、図１、図２に示すように、開閉体本体３０、戸先カバー４０、及び戸車（図示省略）を備えている。
【００３０】
（構成−開閉体−開閉体本体）
開閉体本体３０は、開閉体２０の基本構造体であり、図１、図２に示すように、開閉体枠３１、室内側表面材３２、室外側表面材３３、芯材３４、及び把持部３５を備えている。
【００３１】
このうち、開閉体枠３１は、開閉体本体３０の剛性を主として担うものである。この開閉体枠３１は、複数の鋼製の枠材（一例として、断面形状がコ字状である長尺な鋼製の枠材）を組み合わせることによって、正面形状が矩形環状となるように形成されており、具体的には、左右一対の縦枠材３１ａ、及び上下一対の横枠材（図示省略）から構成されている。このうち、左右一対の縦枠材３１ａは、長手方向の長さが相互に略同一となるように形成されており、上下方向に略沿うように配置されている。また、上下一対の横枠材は、長手方向の長さが相互に略同一となるように形成されており、左右方向に略沿うように配置されている。以下では、必要に応じて、縦枠材３１ａのうち、戸先側の縦枠材３１ａを「戸先側縦枠材３１ａ」と称し、戸尻側の縦枠材（図示省略）を「戸尻側縦枠材」と称する。
【００３２】
また、室内側表面材３２及び室外側表面材３３は、開閉体枠３１及び芯材３４を覆うためのものである。これら室内側表面材３２及び室外側表面材３３は、例えば公知の表面材（一例として、鋼製の化粧板）等を用いて構成され、開閉体枠３１及び芯材３４を覆うように設けられており、具体的には、図１、図２に示すように、開閉体枠３１及び芯材３４を部屋の室内側及び部屋の室外側から挟むように配置され、開閉体枠３１及び芯材３４に対して接着剤等によって固定されている。また、芯材３４は、開閉体本体３０の内部に充填されるものであり、例えば公知の芯材等を用いて構成され、図２（ｂ）に示すように、開閉体枠３１、室内側表面材３２、及び室外側表面材３３にて囲繞された空間内に充填されている。また、把持部３５は、ユーザが開閉体２０の開閉操作を行うためのものであり、例えば公知の引戸用の把持部を用いて構成され、図１に示すように、開閉体本体３０の側面のうち部屋の室内側の側面及び部屋の室外側の側面における相互に対応する位置（具体的には、これら側面の各々の戸先側部分であって上下方向の略中央部及びその近傍）にそれぞれ配置されており、開閉体本体３０に対して固定具等によって固定されている。
【００３３】
（構成−開閉体−戸先カバー）
戸先カバー４０は、開閉体本体３０の戸先側に設けられるカバー材であり、例えば公知の引戸用のカバー材（一例として、断面形状がコ字状である鋼製のカバー材）を用いて構成され、図２（ｂ）に示すように、開閉体本体３０の側面のうち戸先側の側面全体を略覆うように設けられ、開閉体本体３０に対して固定具等によって固定されている。
【００３４】
（構成−開閉体−戸車）
戸車は、開閉体本体３０を走行可能（スライド移動可能）とするための走行手段である。この戸車は、例えば公知の引戸用の戸車等を用いて構成され、上横枠１３と開閉体２０とによって囲繞された空間内に複数設けられており、開閉体本体３０の上面に対して固定具等によって固定されている。
【００３５】
（構成−施錠装置）
図１に戻り、次に、施錠装置５０の構成について説明する。この施錠装置５０は、開閉体２０を施錠するための装置であり、例えば公知の引戸用の施錠装置（一例として、手動式の鎌錠）を用いて構成され、開口部３の戸先側に設けられている。また、図１、図２に示すように、この施錠装置５０は、錠本体６０及び錠受け部７０を備えている。
【００３６】
（構成−施錠装置−錠本体）
錠本体６０は、施錠装置５０の施錠操作を行うためのものであり、図１、図２に示すように、収容部６１、室内側操作軸６２、室外側操作軸６３、室内側カバー部６４、室外側カバー部６５、及び係合部６６を備えている。
【００３７】
このうち、収容部６１は、係合部６６等の施錠装置５０の各種の部品を収容するための収容手段であり、例えば鋼製の中空状体にて形成されている。
【００３８】
また、室内側操作軸６２は、部屋の室内側から施錠装置５０を操作するための操作軸である。この室内側操作軸６２は、長尺な鋼製の略筒状体（例えば、円筒状体）にて形成され、図２に示すように、室内側操作軸６２の一部が収容部６１に挿入された状態で、当該室内側操作軸６２が部屋の室内側に向けて張り出すように設けられている。また、この室内側操作軸６２の先端部には、ユーザの指でつまむことが可能なつまみ部６２ａ（いわゆるサムターン）が取り付けられている。
【００３９】
また、室外側操作軸６３は、部屋の室外側から施錠装置５０を操作するための操作軸である。この室外側操作軸６３は、長尺な鋼製の略筒状体（例えば、円筒状体）にて形成され、図２（ｂ）に示すように、室外側操作軸６３の一部が収容部６１に挿入された状態で、当該室外側操作軸６３が部屋の室外側に向けて張り出すように設けられている。また、この室外側操作軸６３の先端部には、キー（図示省略）を挿入するためのキー挿入孔（図示省略）が形成されている。
【００４０】
また、室内側カバー部６４は、後述する室内側貫通孔を外側から覆うためのカバー部であり、頂部を切り取った中空の略円錐状体にて形成されており、図２に示すように、室内側操作軸６２の先端部に設けられており、室内側操作軸６２に対して公知の施錠装置用カバー部を固定するための固定構造等によって固定されている。
【００４１】
また、室外側カバー部６５は、後述する室外側貫通孔を外側から覆うためのカバー部であり、頂部を切り取った中空の略円錐状体にて形成されており、図２（ｂ）に示すように、室外側操作軸６３の先端部に設けられており、室外側操作軸６３に対して公知の施錠装置用カバー部を固定するための固定構造等によって固定されている。
【００４２】
また、係合部６６は、後述する錠受け部７０の被係合部７２に係合するためのものである。この係合部６６は、例えば公知の施錠装置の係合部材（一例として、鎌錠の係合部等）を用いて構成され、収容部６１の内部において当該収容部６１から出し入れ自在に収容されている。
【００４３】
（構成−施錠装置−錠受け部）
錠受け部７０は、錠本体６０にて行われた施錠操作に応じて施錠又は解錠するためのものであり、図２に示すように、第１収容部７１ａ、第２収容部７１ｂ、被係合部７２、及びフロント部７３を備えている。
【００４４】
このうち、第１収容部７１ａは、第２収容部７１ｂを収容するための収容手段であり、例えば錠本体６０側の側面が開放された鋼製の中空状体にて形成されている。
【００４５】
また、第２収容部７１ｂは、被係合部７２を収容するための収容手段（より具体的には、後述する施錠状態において被係合部７２及び係合部６６を収容する収容手段）であり、例えば錠本体６０側の側面が開放された鋼製の中空状体にて形成されており、第１収容部７１ａの内部に設けられている。
【００４６】
また、被係合部７２は、係合部６６によって係合されるものである。この被係合部７２は、例えば公知の施錠装置の被係合部材（一例として、鎌錠の被係合部等）等を用いて構成され、図２に示すように、第２収容部７１ｂの内部に設けられている。
【００４７】
また、フロント部７３は、被係合部７２を支持するためのものであり、例えば鋼製の板状体にて形成され、図２（ｂ）に示すように、第２収容部７１ｂの開放側において、当該第２収容部７１ｂの開放端を外側から覆うように配置されており、第２収容部７１ｂに対して一体形成されている。
【００４８】
（構成−施錠装置の取付構造）
図１に戻り、次に、施錠装置５０の取付構造について説明する。施錠装置５０を戸先縦枠１１及び開閉体２０に対して取り付けるための取付構造の特徴については、実施の形態では、以下に示す通りとなる。
【００４９】
（構成−施錠装置の取付構造−第１の特徴）
まず、取付構造の第１の特徴については、図１、図２に示すように、錠本体６０が戸先縦枠１１に設けられていると共に、錠受け部７０が開閉体２０に設けられている。
【００５０】
ここで、錠本体６０の設置方法については任意であるが、実施の形態では、図２に示すように、収容部６１を、戸先縦枠１１の内部において縦枠側凹部１８の底部分１８ａに配置し、戸先縦枠１１に取り付けられた固定部材６１ａに対して固定具等によって固定している。また、図２に示すように、室内側操作軸６２を、戸先縦枠１１における部屋の室内側の側部に形成された室内側貫通孔（図示省略）を介して挿通することにより、当該室内側操作軸６２の先端部が戸先縦枠１１よりも部屋の室内側に位置するように設けている。また、図２（ｂ）に示すように、室外側操作軸６３を、戸先縦枠１１における部屋の室外側の側部に形成された室外側貫通孔（図示省略）を介して挿通することにより、当該室外側操作軸６３の先端部が戸先縦枠１１よりも部屋の室外側に位置するように設けている。また、図２に示すように、室内側カバー部６４を、上述したように、室内側操作軸６２の先端部に取り付けることにより、戸先縦枠１１よりも部屋の室内側に位置するように設けている。また、図２（ｂ）に示すように、室外側カバー部６５を、上述したように、室外側操作軸６３の先端部に取り付けることにより、戸先縦枠１１よりも部屋の室外側に位置するように設けている。また、図２に示すように、係合部６６を、室内側操作軸６２又は室外側操作軸６３を介して鍵操作を行うことにより、収容部６１、戸先縦枠１１の開閉体２０側の側部、及びフロント部７３の各々に形成された挿通孔（図示省略）を介して戸先縦枠１１から出し入れ可能となるように設けている。
【００５１】
また、錠受け部７０の設置方法については任意であるが、実施の形態では、図２（ａ）に示すように、第１収容部７１ａを、開閉体２０の戸先側縦枠材３１ａと錠ライナ３６とによって囲繞された空間内に収容しており、開閉体２０に取り付けられた固定部材７１ｃに対して固定具等によって固定している。ここで、錠ライナ３６は、第２収容部７１ｂ等の各種の部品を収容する空間を形成するためのライナである。この錠ライナ３６は、例えば公知の引戸用のライナ（一例として、断面形状がコ字状である長尺な鋼製のライナ）を用いて構成されており、図２（ａ）に示すように、錠受け部７０及びその周辺部分に対応する部分に設けられており、開閉体２０に対して溶接等によって固定されている。また、図２（ａ）に示すように、第２収容部７１ｂを、第１収容部７１ａの開放側から出し入れ可能となるように設けている。また、図２に示すように、被係合部７２を、室内側操作軸６２又は室外側操作軸６３を介して鍵操作を行うことにより、第２収容部７１ｂの内部における係合部６６に係合可能となるように設けている。また、図２（ａ）に示すように、フロント部７３を、上述したように、第２収容部７１ｂの開放側の部分に取り付けることにより、戸先縦枠１１と開閉体２０との相互間に位置するように配置している。
【００５２】
このような第１の特徴により、錠受け部７０の見込方向（前後方向）の長さが開閉体２０（具体的には、閉体本体３０）の厚さよりも短く、且つ錠受け部７０が開閉体２０（具体的には、閉体本体３０）から見込方向に向けて突出するように配置されるものではないため、錠受け部７０と開閉体本体３０の把持部３５とを重ねて配置することができる。よって、錠受け部７０の取付位置が把持部３５によって制約をほとんど受けないことから、従来技術（引戸部材に鎌錠を設け、戸先側の枠材に錠受け部を設ける技術）に比べて施錠装置５０の取付の自由度を高めることができ、施錠装置５０の取付性を向上することが可能となる。
【００５３】
（構成−施錠装置の取付構造−第２の特徴）
次に、取付構造の第２の特徴については、図２（ａ）に示すように、距離変位部８０が開閉体２０に設けられている。距離変位部８０は、引戸１が施錠装置５０によって施錠されている状態（以下、「施錠状態」と称する）において枠体１０が層間変形した際に、開閉体２０（具体的には、開閉体２０における第１収容部７１ａの右側部に対応する部分）と被係合部７２との相互間の距離Ｄ（以下、「相互間距離Ｄ」と称する）を変位させるための距離変位手段である。ここで、「層間変形」とは、枠体１０に地震力等の外力が加わった場合に枠体１０が変形することにより、枠体１０の上側部分の変形量と枠体１０の下側部分の変形量とにズレが生じる変形を意味する。この距離変位部８０は、例えば公知の耐震ストライク機構等を用いて構成されており、具体的には、図２（ａ）に示すように、弾性部材８１及び移動制限部８２を備えている。
【００５４】
弾性部材８１は、当該弾性部材８１の伸縮によって錠受け部７０を移動させるためのものである。この弾性部材８１は、例えば公知の弾性部材（一例として、スプリング、板バネ等）を用いて構成され、図２（ａ）に示すように、第１収容部７１ａの右側部と第２収容部７１ｂの右側部との相互間において当該弾性部材８１の伸縮方向が左右方向に沿うように設けられ、且つ上下方向に沿って複数並設されており、第２収容部７１ｂ及び開閉体２０に対して固定具等によって固定されている。これにより、例えば、図４（ａ）に示すように、弾性部材８１が左右方向の外側に向けて引張られた場合には、弾性部材８１に左右方向の内側に向かう復元力を生じさせることができる。
【００５５】
移動制限部８２は、錠受け部７０の移動を制限するための移動制限手段であり、図２（ａ）に示すように、突起部８２ａ及び当接部８２ｂを備えている。このうち、突起部８２ａは、第２収容部７１ｂから外側に向けて突出する部材であり、第２収容部７１ｂの外縁部分に対して一体形成されている。また、当接部８２ｂは、突起部８２ａと当接する部材であり、図２（ａ）に示すように、施錠状態において枠体１０が層間変形した際に第２収容部７１ｂの開放側において突起部８２ａと当接可能な位置（例えば、突起部８２ａと当接部８２ｂとの相互間の距離が後述する飲み込み量Ｓよりも短い距離となる位置）に設けられており、第１収容部７１ａに対して一体形成されている。
【００５６】
このような第２の特徴により、例えば、図３（ａ）、図３（ｂ）に示す枠体１０の層間変形が生じた際には、図４に示すように相互間距離Ｄを変位させることができる（具体的には、図４に示すように、弾性部材８１が伸長することによって相互間距離Ｄが当該層間変形前よりも大きくなるように、相互間距離Ｄを変位させることができる）。よって、距離変位部８０を設けない場合に比べて、係合部６６と被係合部７２との係合部分７４に過大な力が加わることを回避でき、従来技術と同様に、施錠装置５０の機能を維持することが可能となる。
【００５７】
（構成−施錠装置の取付構造−第３の特徴）
図１に戻り、次いで、取付構造の第３の特徴については、図１に示すように、被係合部７２が戸先縦枠１１の長手方向（上下方向）の中央部又はその近傍に対応する位置に配置されるように、錠受け部７０は配置されている。この場合には、例えば、図１に示すように、係合部６６が戸先縦枠１１の長手方向（上下方向）の中央部又はその近傍に対応する位置に配置されるように、錠本体６０は配置される。
【００５８】
このような第３の特徴によれば、以下の効果が得られる。すなわち、例えば、図３（ａ）に示すように、枠体１０の上側部分が戸尻側に向けて変形するように枠体１０が層間変形した場合に戸先縦枠１１と開閉体２０との離間量が開口部３の下端側で最大量になり、図３（ｂ）に示すように、枠体１０の上側部分が戸先側に向けて変形するように枠体１０が層間変形した場合に戸先縦枠１１と開閉体２０との離間量が開口部３の上端側で最大量になる。一方、開口部３における戸先縦枠１１の長手方向の中央部又はその近傍に対応する位置では、図３（ａ）、図３（ｂ）の層間変形時における戸先縦枠１１と開閉体２０との離間量が上記最大量の半分程度になるので、開口部３の他の位置に比べて当該離間量を小さくできる。このことからすると、第３の特徴を有することにより、被係合部７２を戸先縦枠１１の長手方向の中央部又はその近傍に対応しない位置に配置した場合に比べて、枠体１０の層間変形時における相互間距離Ｄを小さくすることができる。よって、上記相互間距離Ｄを確保するためのスペースをコンパクトにでき、施錠装置５０の取付性を一層向上できる。
【００５９】
（構成−施錠装置の取付構造−第４の特徴）
続いて、取付構造の第４の特徴については、図４（ｂ）、図６に示すように、距離変位部８０による相互間距離Ｄの変位量ＤＭが、戸先縦枠１１（具体的には、縦枠側凹部１８）に対する開閉体２０の飲み込み量Ｓ（具体的には、全閉状態において開閉体２０が戸先縦枠１１に飲み込まれる量）よりも小さく設定されている。ここで、上記飲み込み量Ｓは、実施の形態では、図５に示すように、図３（ａ）に示す枠体１０の層間変形時における戸先縦枠１１と開閉体２０との最大離間量δよりも大きく設定されている（なお、図３（ｂ）に示す枠体１０の層間変形時の上記最大離間量δについても同様とする）。また、上記最大離間量δは、下記式（１）に基づいて算出される。なお、下記式（１）に示す「層間変形角ｒ」とは、枠体１０が地震等によって脱落又は崩壊するのを防ぐために規定される角度であり、例えば、１／１２０ｒａｄ以下等に設定される（ただし、これに限らず、１／１２０ｒａｄを上回る角度に設定されてもよい）。
δ＝ｒ×ｈ・・・式（１）
（ここで、δ：戸先縦枠１１と開閉体２０との最大離間量
ｒ：層間変形角
ｈ：戸先縦枠１１の長手方向の長さ）
【００６０】
このような第４の特徴により、例えば、図３（ａ）、図３（ｂ）に示す枠体１０の層間変形が生じた場合に、図４（ｂ）に示すように係合部６６又は被係合部７２が外部に露出することを回避でき、防犯性を向上させることが可能となる。また、例えば、施錠状態において人によって開閉体２０が開放操作されることにより、距離変位部８０による相互間距離Ｄの変位量ＤＭが最も大きくなった場合（具体的には、移動制限部８２の突起部８２ａと当接部８２ｂとが当接するまで相互間距離Ｄを変位させた場合）でも、図６に示すように、係合部６６又は被係合部７２が外部に露出することを回避でき、防犯性を向上させることが可能となる。さらに、戸先縦枠１１に対する開閉体２０の飲み込み量を、枠体１０の層間変形時における戸先縦枠１１と開閉体２０との最大離間量δよりも大きくしたので、上記最大離間量δに達した場合に開閉体２０が戸先縦枠１１に飲み込まれた状態を維持でき、防犯性を一層向上させることが可能となる。
【００６１】
（引戸の作用について）
図３に戻り、次に、このように構成された引戸１の作用について説明する。
【００６２】
まず、図３（ａ）に示すように、施錠状態において外力によって枠体１０の上側部分が戸尻側に向けて変形するように枠体１０が層間変形することにより、戸先縦枠１１と開閉体２０とが離間するように戸先縦枠１１の変形及び開閉体２０の移動が生じると、図４（ａ）に示すように、距離変位部８０の弾性部材８１が伸長することによって相互間距離Ｄが当該層間変形前よりも大きくなるように、相互間距離Ｄが変位する。これにより、上記戸先縦枠１１の変形に追随して被係合部７２を移動させることができると共に、上記開閉体２０の移動に追随せずに被係合部７２の位置を維持できるので、係合部６６と被係合部７２との係合部分７４に過大な力が加わることを回避できる。
【００６３】
また、図３（ｂ）に示すように、施錠状態において外力によって枠体１０の上側部分が戸先側に向けて変形するように枠体１０が層間変形することにより、戸先縦枠１１と開閉体２０とが離間するように戸先縦枠１１の変形及び開閉体２０の移動が生じると、図４（ａ）に示すように、距離変位部８０の弾性部材８１が伸長することによって相互間距離Ｄが当該層間変形前よりも大きくなるように、相互間距離Ｄが変位する。これにより、上記戸先縦枠１１の変形に追随して被係合部７２を移動させることができると共に、上記開閉体２０の移動に追随せずに被係合部７２の位置を維持できるので、図３（ａ）の層間変形と同様に、係合部６６と被係合部７２との係合部分７４に過大な力が加わることを回避できる。
【００６４】
（実施の形態の効果）
このように実施の形態によれば、施錠装置５０は、戸先縦枠１１に設けられた錠本体６０と、開閉体２０に設けられた錠受け部７０であって、錠本体６０を構成する係合部６６に係合される被係合部７２を有する錠受け部７０と、を備えたので、錠受け部７０の見込方向の長さが開閉体２０の厚さよりも短く、且つ錠受け部７０が開閉体２０から見込方向に向けて突出するように配置されるものではないため、錠受け部７０と開閉体２０の把持部３５とを重ねて配置することができる。よって、錠受け部７０の取付位置が把持部３５によって制約をほとんど受けないことから、従来技術（引戸部材に鎌錠を設け、戸先側の枠材に錠受け部を設ける技術）に比べて施錠装置５０の取付の自由度を高めることができ、施錠装置５０の取付性を向上することが可能となる。また、施錠状態において枠体１０が層間変形した際に、相互間距離Ｄを変位させるための距離変位部８０を備えたので、上記枠体１０の層間変形が生じた際に、相互間距離Ｄを変位させることができる。よって、距離変位部８０を設けない場合に比べて、係合部６６と被係合部７２との係合部分７４に過大な力が加わることを回避でき、従来技術と同様に、施錠装置５０の機能を維持することが可能となる。
【００６５】
また、被係合部７２を、戸先縦枠１１の長手方向の中央部又はその近傍に対応する位置に配置したので、被係合部７２を戸先縦枠１１の長手方向の中央部又はその近傍に対応しない位置に配置した場合に比べて、上記枠体１０の層間変形時における相互間距離Ｄを小さくすることができる。よって、上記相互間距離Ｄを確保するためのスペースをコンパクトにでき、施錠装置５０の取付性を一層向上できる。
【００６６】
また、距離変位部８０による相互間距離Ｄの変位量ＤＭを、戸先縦枠１１に対する開閉体２０の飲み込み量Ｓよりも小さくしたので、上記枠体１０の層間変形が生じた場合、、又は施錠状態で開閉体２０が人によって開放操作された場合に、係合部６６又は被係合部７２が外部に露出することを回避でき、防犯性を向上させることが可能となる。
【００６７】
また、戸先縦枠１１に対する開閉体２０の飲み込み量Ｓを、枠体１０の層間変形時における戸先縦枠１１と開閉体２０との最大離間量δよりも大きくしたので、上記最大離間量δに達した場合に開閉体２０が戸先縦枠１１に飲み込まれた状態を維持でき、防犯性を一層向上させることが可能となる。
【００６８】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００６９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７０】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００７１】
（引戸の適用対象について）
上記実施の形態では、引戸１が、戸袋１９を有する引戸であると説明したが、これに限らず、例えば、戸袋１９を有しない引戸であってもよい。この場合には、枠体１０の室内側方立１４、室外側方立１５、室内側戸袋ボード１６、及び室外側戸袋ボード１７を省略できる。
【００７２】
（施錠装置について）
上記実施の形態では、引戸１に１つの施錠装置５０のみが取り付けられていると説明したが、これに限らず、例えば、図７に示すように、引戸１に複数の施錠装置５０が取り付けられてもよい（図７では、２つの施錠装置５０が取り付けられている）。この場合には、例えば、図７に示すように、２つの施錠装置５０のいずれか一方の被係合部７２は、戸先縦枠１１の長手方向の中央部又はその近傍に対応する位置に配置されると共に、２つの施錠装置５０のいずれか他方の被係合部７２は、戸先縦枠１１の長手方向の中央部又はその近傍に対応しない位置に配置されてもよい。
【００７３】
また、上記実施の形態では、施錠装置５０が、手動式の鎌錠であると説明したが、これに限らず、例えば、電気式の鎌錠であってもよい。このように、施錠装置５０が電気式の鎌錠である場合には、錠本体６０を開閉体２０に設ける場合に比べて、戸先縦枠１１において錠本体６０に接続される配線を配設するための配設スペースを確保しやすいことから、施錠装置５０の取付性を一層向上できる。
【００７４】
（施錠装置の取付構造について）
上記実施の形態では、被係合部７２が、戸先縦枠１１の上下方向の中央部又はその近傍に対応する位置に配置されていると説明したが、これに限らない。例えば、戸先縦枠１１の上下方向の中央部又はその近傍に対応しない位置に配置されてもよく、一例として、戸先縦枠１１の上下方向の中央部よりも下方の位置に配置されてもよい。これにより、比較的背が低いユーザ（一例として、子供や老人等）が施錠装置５０の施錠操作を行いやすくなることから、当該ユーザの利便性を向上させることができる。
【００７５】
また、上記実施の形態では、距離変位部８０による相互間距離Ｄの変位量ＤＭが、戸先縦枠１１に対する開閉体２０の飲み込み量Ｓよりも小さく設定されていると説明したが、これに限らず、例えば、上記飲み込み量Ｓ以上に設定されてもよい。
【００７６】
（付記）
付記１の引戸は、建物の開口部に設けられた枠体と、前記枠体内を移動して前記開口部の開閉を行う開閉体と、前記開閉体を施錠するための施錠装置とを備えた引戸であって、前記施錠装置は、前記枠体のうち戸先側に位置する戸先側枠材に設けられた錠本体と、前記開閉体に設けられた錠受け部であって、前記錠本体を構成する係合部に係合される被係合部を有する錠受け部と、を備え、前記引戸が前記施錠装置によって施錠されている状態において前記枠体が層間変形した際に、前記開閉体と前記被係合部との相互間の距離を変位させるための距離変位手段を備えた。
【００７７】
付記２の引戸は、付記１に記載の引戸において、前記被係合部を、前記戸先側枠材の長手方向の中央部又はその近傍に対応する位置に配置した。
【００７８】
付記３の引戸は、付記１又は２に記載の引戸において、前記距離変位手段による前記相互間の距離の変位量を、前記戸先側枠材に対する前記開閉体の飲み込み量よりも小さくした。
【００７９】
付記４の引戸は、付記１から３のいずれか一項に記載の引戸において、前記戸先側枠材に対する前記開閉体の飲み込み量を、前記枠体の層間変形時における前記戸先側枠材と前記開閉体との最大離間量よりも大きくした。
【００８０】
（付記の効果）
付記１に記載の引戸によれば、施錠装置は、枠体のうち戸先側に位置する戸先側枠材に設けられた錠本体と、開閉体に設けられた錠受け部であって、錠本体を構成する係合部に係合される被係合部を有する錠受け部と、を備えたので、錠受け部の見込方向の長さが開閉体の厚さよりも短く、且つ錠受け部が開閉体から見込方向に向けて突出するように配置されるものではないため、例えば錠受け部と開閉体の把持部とを重ねて配置することができる。よって、錠受け部の取付位置が把持部によって制約をほとんど受けないことから、従来技術（引戸部材に鎌錠を設け、戸先側の枠材に錠受け部を設ける技術）に比べて施錠装置の取付の自由度を高めることができ、施錠装置の取付性を向上することが可能となる。また、引戸が施錠装置によって施錠されている状態において枠体が層間変形した際に、開閉体と被係合部との相互間の距離を変位させるための距離変位手段を備えたので、上記枠体の層間変形が生じた際に、上記相互間の距離を変位させることができる。よって、距離変位手段を設けない場合に比べて、係合部と被係合部との係合部分に過大な力が加わることを回避でき、従来技術と同様に、施錠装置の機能を維持することが可能となる。
【００８１】
付記２に記載の引戸によれば、被係合部を、戸先側枠材の長手方向の中央部又はその近傍に対応する位置に配置したので、被係合部を戸先側枠材の長手方向の中央部又はその近傍に対応しない位置に配置した場合に比べて、上記枠体の層間変形時における開閉体と被係合部との相互間の距離を小さくすることができる。よって、上記相互間の距離を確保するためのスペースをコンパクトにでき、施錠装置の取付性を一層向上できる。
【００８２】
付記３に記載の引戸によれば、距離変位手段による相互間の距離の変位量を、戸先側枠材に対する開閉体の飲み込み量よりも小さくしたので、上記枠体の層間変形が生じた場合、又は上記施錠された状態で開閉体が人によって開放操作された場合に、係合部又は被係合部が外部に露出することを回避でき、防犯性を向上させることが可能となる。
【００８３】
付記４に記載の引戸によれば、戸先側枠材に対する開閉体の飲み込み量を、枠体の層間変形時における戸先側枠材と開閉体との最大離間量よりも大きくしたので、上記最大離間量に達した場合に開閉体が戸先側枠材に飲み込まれた状態を維持でき、防犯性を一層向上させることが可能となる。
【符号の説明】
【００８４】
１  引戸
２  躯体
３  開口部
１０  枠体
１１  戸先縦枠
１２  戸尻縦枠
１３  上横枠
１４  室内側方立
１５  室外側方立
１６  室内側戸袋ボード
１７  室外側戸袋ボード
１８  縦枠側凹部
１８ａ  底部分
１９  戸袋
２０  開閉体
３０  開閉体本体
３１  開閉体枠
３１ａ  縦枠材、戸先側縦枠材
３２  室内側表面材
３３  室外側表面材
３４  芯材
３５  把持部
３６  錠ライナ
４０  戸先カバー
５０  施錠装置
６０  錠本体
６１  収容部
６１ａ  固定部材
６２  室内側操作軸
６２ａ  つまみ部
６３  室外側操作軸
６４  室内側カバー部
６５  室外側カバー部
６６  係合部
７０  錠受け部
７１ａ  第１収容部
７１ｂ  第２収容部
７１ｃ  固定部材
７２  被係合部
７３  フロント部
７４  係合部分
８０  距離変位部
８１  弾性部材
８２  移動制限部
８２ａ  突起部
８２ｂ  当接部
Ｄ  相互間距離
ＤＭ  相互間距離の変位量
Ｆ  床面
Ｓ  戸先縦枠に対する開閉体の飲み込み量
ｒ  層間変形角
δ  枠体の層間変形時における戸先縦枠と開閉体との最大離間量
【図１】
2019116723.tif 000003
【図２】
2019116723.tif 000004
【図３】
2019116723.tif 000005
【図４】
2019116723.tif 000006
【図５】
2019116723.tif 000007
【図６】
2019116723.tif 000008
【図７】
2019116723.tif 000009